(57)【要約】【課題】  バフ研磨において、仕上げ研磨に先立つ肌調整用バフとして、汎用の繊維素材を用いて、ペーパー目や研磨傷などの欠陥を消去する研削力に優れたバフとバフ研磨方法の提供。【解決手段】  研磨面側より見た回転方向が反時計回りである研磨具の回転円盤に取付けるバフであって、被研磨面に接触するバフ研磨面が、左綾の織物面１１０であることを特徴とする綾織物から成るバフ。【選択図】図１
2020082305.tif 000002
【特許請求の範囲】
【請求項１】
研磨面側より見た回転方向が反時計回りである研磨具の回転円盤に取付けるバフであって、被研磨面に接触するバフ研磨面が、左綾の織物面であることを特徴とする綾織物から成るバフ。
【請求項２】
研磨面側より見た回転方向が時計回りである研磨具の回転円盤に取付けるバフであって、被研磨面に接触するバフ研磨面が、右綾の織物面であることを特徴とする綾織物から成るバフ。
【請求項３】
研磨面側より見た回転方向が反時計回りである研磨具の回転円盤に、綾織物から成るバフを、被研磨面に接触するバフ研磨面が左綾の織物面となるように取付けて研磨を行うことを特徴とするバフ研磨方法。
【請求項４】
研磨面側より見た回転方向が時計回りである研磨具の回転円盤に、綾織物から成るバフを、被研磨面に接触するバフ研磨面が右綾の織物面となるように取付けて研磨を行うことを特徴とするバフ研磨方法。
【発明の詳細な説明】
【技術分野】
【０００１】
本発明は、自動車などの塗装表面や樹脂成形品表面などのバフ研磨に用いるバフ及びバフ研磨方法に関する。
【背景技術】
【０００２】
塗装表面の仕上げとして表面光沢を与えるために、各種の回転型ポリッシャを用いて塗装表面のバフ研磨を行うことが広く行われている。塗装表面の仕上げ研磨は、表面を滑らかな均一の光沢表面に仕上げるために行うもので、一般の金属成形品の鏡面仕上げと異なり、表面は柔軟な樹脂で構成されており、バフ研磨により表面光沢を付与するためには回転型ポリッシャに装着するバフが重要な役割を果たし、各種のバフが使用されている。バフとしては、繊維素材によるバフ及びスポンジ素材によるバフなどが単独又は併用して用いられている。繊維素材によるバフとしては、基布に各種の繊維糸にて有毛としたパイル織布等が用いられ、優れた研磨力と残る傷の均一性を持つので次工程のスポンジバフにて表面光沢が得られるためバフ研磨に広く用いられている。繊維素材としては、ウール（羊毛）、綿、絹などの天然繊維や各種の再生繊維や合成繊維が用いられ、ウールバフ、綿バフなどとして用いられている。
【０００３】
塗装表面や樹脂成形品表面の仕上げ工程として行われるバフ研磨は、塗装表面の突起や凹部などの欠陥を修正するペーパー掛け工程に続いて行われ、このペーパー掛けにより生じたペーパー目を消しながら、表面光沢を付与するために行われる。そのため、バフ研磨では表面光沢を得るために、塗装表面に既に存在している研磨傷を研削して消去し、新たに発生する研磨傷はより細かく、より小さくすることで表面光沢を付与する。
【０００４】
良好なバフ研磨を実現するために、繊維素材を用いたバフでは種々のパイル織物や編物が提案されている。例えば、特許文献１には、特定の偏平度の偏平断面をもつレーヨン繊維によるマルチフィラメント糸をパイル糸として用いたカットパイル群やループ群を組み合わせて起毛した織物や編物によるバフが提案され、特許文献２には、ウール製のカットパイルを備えたパイル織物とウレタンフォームラバーとを組み合わせた布被覆バフが示されている。
【０００５】
工夫された繊維素材によるバフは、研磨作業により発生する研磨傷が細かく均一で、次に続くスポンジバフによって良好な表面光沢を得ることができるため、バフ研磨における初期研磨としての肌調整によく使用される。しかし、噛み込んだ傷を付けないように工夫された通常の繊維素材によるバフは、塗装表面に既に存在しているペーパー目や研磨傷などの欠陥を消去する研削力が小さいため、この研削力を高め、研磨効率を上げることが望まれていた。
【０００６】
一方、バフ研磨材用に特別に構成した繊維素材ではなく、ジーンズなどに使用されるデニム生地などの綾織物（斜文織物）は厚手の生地が得られるためバフとして用いることが行われている。しかし、前記した塗装表面に既に存在しているペーパー目や研磨傷などの欠陥を消去する研削力や、研磨効率の点では必ずしも十分ではなく広く用いられるバフではなかった。
【先行技術文献】
【特許文献】
【０００７】
【特許文献１】特開平１０−２３５５６４号公報
【特許文献２】特開平１０−１５８３４号公報
【発明の概要】
【発明が解決しようとする課題】
【０００８】
本発明の課題は、バフ研磨において、仕上げ研磨に先立つ肌調整用バフとして、汎用の繊維素材を用いて、ペーパー目や研磨傷などの欠陥を消去する研削力に優れたバフとバフ研磨方法を提供することである。
【課題を解決するための手段】
【０００９】
本願発明者は、研削力の優れたバフを得るために、綾織物を用いて種々検討を行った結果、綾織物の綾目(斜文線)の流れる方向と回転型ポリッシャの回転盤の回転方向を組み合わせることにより、研削力に優れたバフ研磨ができることを見出し、本発明を成すに至った。
【００１０】
本発明のバフは、綾織物から成り、研磨面側より見た回転方向が反時計回りである研磨具の回転円盤に取付けるバフであって、被研磨面に接触するバフ研磨面が、左綾の織物面であることを特徴とする。また、同様に綾織物から成り、研磨面側より見た回転方向が時計回りである研磨具の回転円盤に取付けるバフにおいては、被研磨面に接触するバフ研磨面が、右綾の織物面であることを特徴とする。
【００１１】
そして、バフ研磨方法は、研磨面側より見た回転方向が反時計回りである回転型ポリッシャの回転円盤に、綾織物から成るバフを、被研磨面に接触するバフ研磨面が左綾の織物面となるように取付けて研磨を行うことを特徴とする。また、研磨面側より見た回転方向が時計回りである回転型ポリッシャの回転円盤に、綾織物から成るバフを、被研磨面に接触するバフ研磨面が右綾の織物面となるように取付けて研磨を行うことを特徴とする。
【００１２】
本発明における綾織物は、斜文織物とも称され、織物の経糸（タテ糸）と緯糸（ヨコ糸）が交差する組織点において、経糸が複数の緯糸の上に浮いて交差し構成している織物であり、経糸が２本の緯糸の上に浮き、１本の緯糸の下となり交差させた織物が「三つ綾」、３本の緯糸の上を、１本の緯糸の下の場合を「四つ綾」などと称される。そして、経糸が上に浮いた組織点は、織物表面で斜線状に現れ、この斜線が綾目（斜文線とも称する）であり、経糸を上下方向にした場合、綾目の方向が右下から左上に流れている綾織物を左綾、左下から右上に流れている綾織物を右綾と称する。
【００１３】
図１〜３に綾織物の交差構造を模式図で示している。これらの図において、経糸１０１が２本の緯糸１０２の上に浮いて綾目組織点１０３となり、次いで経糸１０１は1本の緯糸１０２の下を通り、上になった部分の緯糸１０２は綾目間隙点１０４となり、さらに経糸１０１は２本の緯糸の上に浮いて綾目組織点１０３となるという交差構造の綾織物を示している。図１と図２は夫々左綾と右綾の織物面の平面模式図であり、経糸１０１を上下方向に、緯糸１０２を水平方向にして示しており、図１は経糸１０１から成る綾目組織点１０３で構成される綾目の方向が右下から左上に流れ、左綾目１０５を構成している左綾の織物面１１０の平面模式図であり、図２は綾目の方向が左下から右上に流れ、右綾目１０６を構成している右綾の織物面１２０の平面模式図である。
【００１４】
図３は交差構造の側面模式図であり、経糸１０１が１本の緯糸１０２の下を通り、次いで２本の緯糸１０２の上に浮いた後、再び１本の緯糸１０２の下を通る交差構造を示している。緯糸１０２から成る綾目間隙点１０４は、上に浮いた経糸１０１から成る綾目組織点１０３より低い位置となり、綾織物から成るバフでは、バフ研磨に際して被研磨面を研磨するのは、専ら綾目組織点１０３が担うことになる。
【００１５】
本発明者は、綾織物から成るバフについて種々検討の結果、前記したように、研磨面側より見た回転方向が反時計回りである研磨具の回転円盤に取付けるバフは、被研磨表面に接触する研磨面が左綾の織物面であるバフが、塗装面のペーパー目や研磨傷などの欠陥を消去する研削力に優れていることを見出したものである。
【００１６】
バフ研磨に用いられる回転型ポリッシャの回転盤は、研磨面側より見た回転方向が反時計回りであることが多いが、時計回りである場合もあり、この場合は前記のようにバフの被研磨表面に接触する研磨面は右綾の綾織物面であるバフが研削力に優れている。
【発明の効果】
【００１７】
以上の通り、本発明の綾織物から成るバフは、汎用の繊維素材を用いたバフであって、塗装面のペーパー目や研磨傷などの欠陥を消去する研削力の向上したバフであり、広く用いることができる。
【図面の簡単な説明】
【００１８】
【図１】反時計回りの回転盤に取付けられるバフの研磨面となる左綾の織物面の平面模式図。
【図２】時計回りの回転盤に取付けられるバフの研磨面となる右綾の織物面の平面模式図。
【図３】綾織物の交差構造の側面模式図。
【図４】バフを取り付けた回転型ポリッシャの側面説明図。
【図５】研磨作業中の回転型ポリッシャの側面説明図。
【図６】反時計回りの回転盤に取付けられた左綾の綾織物の綾目組織点が研磨時に受ける力の模式説明図。
【図７】同上回転盤に取付けられた右綾の綾織物の綾目組織点がバフ研磨時に受ける力の模式説明図。
【発明を実施するための形態】
【００１９】
本発明の実施の形態につき、以下さらに説明する。
【００２０】
本発明のバフは回転型ポリッシャに取付けられて、バフ研磨に供されるが、図４に綾織物からなるバフ２０１が取り付けられた回転型ポリッシャ２００の側面説明図を示す。バフ２０１は、回転型ポリッシャ２００の本体２０５に内蔵するモータからの駆動力を出力する駆動軸２０３に固定された回転円盤２０２に取付けられている。図５では、駆動軸２０３は時計回り（右回り）の回転とすると、研磨面側から見た回転円盤２０２の回転方向は反時計回りであり、左綾の織物面１１０を前面にして取り付けている。バフ２０１は、綾織物単独又は軟質ゴムやスポンジなどで構成されるクッション材との組み合わせから成り、面ファスナーなどから成る取り付け部材により回転円盤２０２に着脱自在に取付けられるが、被研磨面に接触して研磨作用をする前面は左綾の織物面１１０で構成されている。そして、図５に示すように、回転型ポリッシャ２００による研磨作業は、作業者がメイングリップ２０６を掴み、左綾の綾織物面１１０を被研磨面２１０に押し付けて行うが、研磨作業は回転円盤２０２を高速で回転させて行うため、駆動軸２０３に連結している中心近傍以外は回転円盤全面が研磨に供される。
【００２１】
図４、５では、回転型ポリッシャ２００としては、回転円盤２０２を単純な回転運動をさせて研磨を行うシングル回転型ポリッシャを示したが、出力軸２０３の中心から偏心した位置に回転円盤の回転軸中心を設置し、回転円盤２０２の回転運動を不規則かつ複雑な運動とするランダムアクションポリッシャでも、回転円盤２０２の回転方向は同じであり、本発明のバフは適用可能である。
【００２２】
綾織物からなるバフにおいて、バフ研磨における研削力が、バフを取り付ける回転円盤の回転方向とバフ研磨面の綾目の方向との組み合わせに依存するのは、次のような作用機構のためと考えられる。
【００２３】
先に図１〜３で説明したように、綾織物から成るバフのバフ研磨面では、綾目を構成している経糸１０１から成る綾目組織点１０３は緯糸１０２の上になっており、左綾の織物面１１０でも、右綾の織物面１２０のいずれにおいても、バフ研磨に際して被研磨面を研磨する役割を担っている。そして、綾目組織点１０３の被研磨面への作用はこの綾目組織点の繊維側面により行われ、被研磨面である塗装面に作用して表面の欠陥を消去する研削が行われる。そのため、バフ研磨面の研削力を効率よく発揮させるためには、綾目組織点１０３の繊維側面に直交する方向、すなわち経糸の方向と直交する水平方向の力を有効に働かせることが必要である。そのためには、回転円盤の回転トルクにより発生する綾目組織点１０３の被研磨面に作用する研磨力に対する被研磨面よりの反作用力を、綾目組織点１０３がしっかりと受け止めて、両方の力を拮抗させて、被研磨面への研磨作用力を有効に働かせる必要がある。被研磨面からの反作用力を綾目組織点１０３（ないしはその集合である綾目１０５）が受け止められない場合には、被研磨面に加える研磨力も減少してしまうため、被研磨面である塗装面の研削量が十分ではなく、塗装面の欠陥を充分に消去できない。従って、被研磨面よりの反作用力を繊維側面にてしっかり受け止める構成となっていることがポイントとなる。
【００２４】
図６、７により、綾目組織点の繊維側面がバフ研磨時に受ける力を説明する。いずれの図も研磨面側から見た回転円盤の回転方向Ｌは反時計回りであり、図６はバフ研磨面が左綾の織物面であり、図７は右綾の織物面である。いずれの図も綾目組織点は模式的に示しており、拡大して示した綾目組織点により回転円盤上に無数存在する綾目組織点を代表させている。回転円盤に綾織物から成るバフを取り付けた円形研磨面の回転中心点を原点Ｏとし、直交座標のｙ軸とｘ軸とにより第一象限から第四象限に分割している。第一象限と第三象限、第二象限と第四象限は中心点Ｏを対象の中心とした点対称となるため、第一象限と第二象限について綾目組織点が研磨作業時に受ける力を以下に説明する。
【００２５】
図６において、各綾目組織点のうち、第一象限に属するものを綾目組織点１１３として実線の斜線で塗りつぶして示し、第二象限に属するものを綾目組織点１２３として点線の斜線で塗りつぶしして示し、ｘ軸上の綾目組織点はベタ黒に塗りつぶしている。そして、バフ研磨面の回転方向Ｌは、原点Ｏを回転中心として、反時計回りで回転している。
【００２６】
第一象限に属する綾目組織点１１３の中から、原点Ｏから組織点中央部までの距離がｒ1、ｒ2、ｒ3の３個の綾目組織点を選び、各綾目組織点１１３の中央部において、バフを取り付けた回転円盤の回転トルクにより生じる研磨作用力を矢印ｆ1、ｆ2、ｆ3として示した。各綾目組織点１１３は経糸１０１から構成されており、その繊維方向は図の上下方向となっている。従って、研磨作用力ｆ1、ｆ2、ｆ3はそれぞれの綾目組織点中央部と原点Ｏとを結ぶ中心線と直交する方向に働くが、各綾目組織点１１３において上下方向の経糸１０１から成る繊維側面が、被研磨面に作用する研磨作用力が最も効率よく働く方向は、この繊維側面に直交する方向であり図の右から左への水平方向となり、研磨作用力ｆ1、ｆ2、ｆ3の水平成分は矢印ｆ1h、ｆ2h、ｆ3hで示される。そして、この各水平成分ｆ1h、ｆ2h、ｆ3hに対する被研磨面からの反作用力は点線で示す矢印ｇ1h、ｇ2h、ｇ3hで示され、左から右へ向かう水平方向となる。尚、ベタ黒で塗りつぶしたｘ軸上の綾目組織点では、繊維側面に直交する方向には回転円盤の回転トルクによる力は働かないため、考慮の対象とはならない。
【００２７】
同様に、第二象限に属する綾目組織点１２３の中から、原点Ｏから綾目組織点中央部までの距離がｒ4、ｒ5、ｒ6の３個の綾目組織点を選び、各綾目組織点１２３の中央部において、バフを取り付けた回転円盤の回転トルクにより生じる研磨作用力を矢印ｆ4、ｆ5、ｆ6として示した。各綾目組織点１２３も経糸１０１から構成されており、その繊維方向は図の上下方向となっている。また、研磨作用力ｆ4、ｆ5、ｆ6の働く方向は、研磨作用力ｆ1、ｆ2、ｆ3と同様であり、各綾目組織点１２３の繊維側面が、被研磨面に作用する研磨作用力ｆ4、ｆ5、ｆ6の水平成分は矢印ｆ4h、ｆ5h、ｆ6hで示され、この各水平成分ｆ4h、ｆ5h、ｆ6hに対する被研磨面からの反作用力も同様に点線で示す矢印ｇ4h、ｇ5h、ｇ6hで示され、左から右へ向かう水平方向となる。
【００２８】
上記したように、各綾目組織点の繊維側面がそれぞれ個別に水平方向で受ける被研磨面からの反作用力は、第一象限では反作用力ｇ1h、ｇ2h、ｇ3hなどであり、第二象限では反作用力ｇ4h、ｇ5h、ｇ6hなどであり、いずれも左から右への水平方向に作用する。しかし、バフ研磨面は左綾の織物面であり、各綾目組織点１１３、１２３では、個別の綾目組織点の右側側面の下半分は、右側に存在する綾目組織点の左側側面の上半分と接しているが、右側側面の上半分は、図３に示したように低い位置に存在する綾目間隙点１０４となっているために、左から右への水平方向に働く反作用力ｇ1h〜ｇ6hを上半分は支えることができず、右側に存在する綾目組織点の左側側面の上半分と接している下半分が支えることになり、右側側面の下半分と左側側面の上半分とが連続して形成する綾目１０５が受けることになり、図６に示すように右下がりの力として順次合算され、白抜きの矢印Ｇa、Ｇb、Ｇc、Ｇd、Ｇe、Ｇfなどとして示すように左上から右下の方に向かう合力となり、綾目１０５はこの合力を受けることになる。
【００２９】
第三象限と第四象限は、それぞれ第一象限と第二象限とは中心点Ｏを対象の中心とした点対称となるため、合力Ｇa〜Ｇfの中心点Ｏを対象の中心として点対称の方向の合力が第三象限と第四象限では存在することになり、図６に示すように、この合力は左上がりの力として、白抜きの矢印で示すように右下から左上に向かう合力となる。そのため、これらの合力はｘ軸を境にして、第一象限と第二象限の合力と互いに押し合うことになり、被研磨面からの反作用力を綾目組織点の集合である綾目がしっかりと受け止めることになり、研磨力を充分に発揮できることになる。
【００３０】
そのため、研磨面側より見た回転方向が反時計回りである研磨具の回転円盤に、左綾の織物面をバフ研磨面として取り付ける綾織物から成るバフは十分な研削力を発揮することができる。
【００３１】
一方、図７においても図６と同様に、各綾目組織点のうち、第一象限に属するものを綾目組織点１１３として実線の斜線で塗りつぶして示し、第二象限に属するものを綾目組織点１２３として点線の斜線で塗りつぶしして示し、バフ研磨面の回転方向Ｌは、原点Ｏを回転中心として、反時計回りで回転しているが、図７では各綾目組織点で形成される綾目は右綾１０６であり、綾目の方向は左下から右上に流れている。
【００３２】
図７でも図６と同様にして、原点Ｏから各綾目組織点中央部までの距離ｒ7〜ｒ12の綾目組織点を選び、それぞれの綾目組織点の繊維側面に垂直に働く被研磨面からの反作用力を点線の矢印ｇ７h〜ｇ12hで示した。各反作用力ｇ７h〜ｇ12hは図６の場合と同様に左から右へ向かう水平方向となる。しかしながら、図７では、バフ研磨面は右綾の織物面であり、各綾目組織点１１３、１２３では、個別の綾目組織点の右側側面の上半分は、右側に存在する綾目組織点の左側側面の下半分と接しているが、右側側面の下半分は、綾目間隙点１０４となっているために、左から右への水平方向に働く反作用力ｇ7h〜ｇ12hを下半分は支えることができず、右側に存在する綾目組織点の左側側面の下半分と接している上半分が支えることになり、右側側面の上半分と左側側面の下半分とが連続して形成する綾目１０６が受けることになり、図７に示すように右上がりの力として順次合算され、白抜きの矢印Ｇg、Ｇh、Ｇi、Ｇj、Ｇk、Ｇlなどとして示すようにｘ軸から右上の方向に向かう合力になる。
【００３３】
そして、第三象限と第四象限は、それぞれ第一象限と第二象限とは中心点Ｏを対象の中心とした点対称となるため、合力Ｇg〜Ｇlの中心点Ｏを対象の中心として点対称の方向の合力が第三象限と第四象限では存在することになり、図７に示すように左下がりの力として、白抜きの矢印で示すようにｘ軸から左下に向かう合力となる。そのため、これらの合力はｘ軸を境にして、第一象限と第二象限の合力と互いにすれ違うことになり、被研磨面からの反作用力を綾目組織点の集合である綾目がしっかりと受け止めることができず、反作用力と拮抗する大きさの研磨力を減少させてしまうことになる。
【００３４】
そのため、研磨面側より見た回転方向が反時計回りである研磨具の回転円盤に、右綾の織物面をバフ研磨面として取り付ける綾織物から成るバフは十分な研削力を持つことができない。
【００３５】
以上のような作用機構により、綾織物からなるバフにおいて、バフ研磨における研削力が、バフを取り付ける回転円盤の回転方向とバフ研磨面の綾目の方向との組み合わせに依存するため、回転円盤の回転方向が時計回りの場合には、バフ研磨面は右綾の織物面であることが、研削力に優れた綾織物から成るバフであることは、図６、７についての説明から容易に理解できる。
【００３６】
本発明の綾織物に用いられる繊維素材としては、特に限定されないが、ウール（羊毛）、綿、絹などの天然繊維や各種の再生繊維や合成繊維を用いることができる。また、綾織物では表の織物面が左綾であれば、裏の織物面は右綾となるため、右綾の綾織物（表が右綾）でも裏の繊維面をバフ研磨面として使用することにより、左綾の繊維面をバフ研磨面とすることができ、その逆も同様である。
【実施例】
【００３７】
回転型ポリッシャの回転円盤の回転方向とバフ研磨面のとする綾織物の綾目を組み合わせて、その研削力を確認するために、バフ研磨作業による塗膜の研削量の測定を行い、次のような結果を得た。
１）試験用ボンネットに、特殊変性ポリエステル樹脂塗料（ロックペイント株式会社製、黒色、商品名プロタッチ）と、クリヤコートとしてクリヤ塗料（ロックペイント株式会社製、商品名エコロックハイパークリヤー ）を塗布し、遠赤外線ヒーターにて乾燥した塗装面に対して、回転型ポリッシャに綾織物から成るバフを取り付けて、コンパウンド（粒径１０〜２０μｍ）（ケヰテック社製  商品名  ０II fineＢＬ）を用いて、ポリッシャの回転盤の回転方向を、研磨面側から見て反時計回り（出力軸の回転は時計回り）として研磨作業を行い、バフ研磨後の塗膜の膜厚の減少量を測定し、次の結果を得た。
綾目の方向            右綾                      左綾
減少量              ７．３９μｍ              ８．１２μｍ
２）コンパウンドを粒径５μｍ前後（ケヰテック社製  商品名  １st  ＢＬ）に変更したほかは１）と同様にして膜厚の減少量を測定し、次の結果を得た。
綾目の方向            右綾                      左綾
減少量              １．６６μｍ              ５．５５μｍ
３）ポリッシャの回転盤の回転方向を、研磨盤側から見て時計回り（出力軸の回転は反時計回り）として研磨作業を行う外は２）と同様にして膜厚の減少量を測定し、次の結果を得た。
綾目の方向            右綾                      左綾
減少量              ４．６２μｍ              １．８４μｍ
４）試験用ボンネットの塗料を黒色塗料（ＢＡＳＦ社製、商品名ダイヤモント）とクリヤコートとしてクロノトップクリヤ（商品名、ＢＡＳＦ社製）を用いる他は１）と同様にして膜厚の減少量を測定し、次の結果を得た。
綾目の方向            右綾                      左綾
減少量              ４．５５μｍ              ５．５４μｍ
以上の結果、回転盤の回転方向を反時計回りでバフ研磨を行った場合、バフ研磨面を左綾織物面としたものが、研磨力が良好であることが分かった。条件によって減少量は３倍ほどになることも分かった。
尚、４）の塗装面の塗膜硬度は１）、２）の塗膜面に比べ硬くなっており、減少量の差は小さくなっているが、左綾の織物面の方が優れていることが分かった。
一方、ポリッシャの回転方向を逆回転させ、回転円盤の回転方向を、研磨側から見て時計回りとした場合には、バフ研磨面を右綾織物面としたものが、研磨力が良好であることが分かった。
【産業上の利用可能性】
【００３８】
本発明のバフ及びバフ研磨方法は、自動車の塗装面などのバフ研磨に好ましく利用できるが、合成樹脂成形品の鏡面化研磨にも応用できる。
【符号の説明】
【００３９】
１０１  経糸                          １０２  緯糸
１０３  綾目組織点                    １０４  綾目間隙点
１０５  左綾目                        １０６  右綾目
１１０  左綾の織物面                  １２０  右綾の織物面
１１３  綾目組織点（第一象限）        １２３  綾目組織点(第二象限)
２００  回転型ポリッシャ              ２０１  バフ
２０２  回転円盤                      ２０３  駆動軸
２０５  本体                          ２０６  メイングリップ
２１０  被研磨面
ｒ1〜ｒ12  原点Ｏと組織点中央部との距離
ｆ1〜ｆ12  回転円盤の回転トルクによる研磨作用力
ｆ1h〜ｆ12h  研磨作用力の水平成分    
ｇ1h〜ｇ12h  反作用力
Ｇg〜Ｇl  反作用力の合力
【図１】
2020082305.tif 000003
【図２】
2020082305.tif 000004
【図３】
2020082305.tif 000005
【図４】
2020082305.tif 000006
【図５】
2020082305.tif 000007
【図６】
2020082305.tif 000008
【図７】
2020082305.tif 000009